(57)【特許請求の範囲】
【請求項１】
電気ケーブル（２６）と接続する少なくとも１つのコネクタ（２２）を収容するためのハウジング（１０）と該ハウジング（１０）を閉塞可能な蓋（１２）とを具備するハウジング装置において、
前記ハウジング（１０）が、底部（１４）、前壁（１６）、後壁（１６）、２つの側壁（２０）および電気ケーブル（２６）のための開口（２４）を有し、
前記蓋（１２）が、前記ハウジング(１０)に回動可能に取り付けられ、
前記蓋（１２）の回動軸（３０）が、前記ハウジング（１０）の後壁（１８）に隣接するように前記２つの側壁（２０）に設置され、
前記ハウジング（１０）の後壁（１８）の高さが、前記ハウジング（１０）の前壁（１６）の高さより高く形成されているとともに、前記側壁（２０）の高さが、前記後壁（１８）から前壁（１６）に向かって漸次低く形成され、
前記ハウジング（１０）の側壁（２０）が、前記蓋（１２）の開閉時に前記蓋（１２）をハウジング（１０）によって保持させながら回動中に蓋（１２）を円形の軌道に沿った回動を通じて案内するように前記側壁（２０）の外表面に凹状に形成されたガイド部（３２）を備え、
前記蓋（１２）が、曲がった鼻状のピンのように前記蓋（１２）と一体に形成されて前記ガイド部（３２）に係合するガイド部材（３４）を備え、
前記ガイド部材（３４）の輪郭が、前記ガイド部（３２）の輪郭に対応していることを特徴とするハウジング装置。
【請求項２】
前記コネクタ（２２）が、前記ハウジング（１０）の後壁（１８）に設置されていることを特徴とする請求項１に記載のハウジング装置。
【請求項３】
前記コネクタ（２２）が、前記ハウジング（１０）の底部（１４）と０°以上の角度を成して設置されていることを特徴とする請求項１または請求項２に記載のハウジング装置。
【請求項４】
前記開口（２４）が、前記ハウジング（１０）の後壁（１８）に設置されていることを特徴とする請求項１乃至請求項３のいずれか１つに記載のハウジング装置。
【請求項５】
前記側壁（２０）における前記蓋（１２）と隣接する側壁上縁（２８）には、少なくとも２つの下降角（α、β）が形成され、前記下降角（α、β）が、後壁（１８）から前壁（１６）に向かう方向に沿って順にそれらの角度が減少していることを特徴とする請求項１乃至請求項４のいずれか１つに記載のハウジング装置。
【請求項６】
前記ハウジング装置を密封するための密封条（４２）が設置され、該密封条（４２）が密封溝（４０）と係合することを特徴とする請求項１乃至請求項５のいずれか１つに記載のハウジング装置。
【請求項７】
前記密封条（４２）が、前記蓋（１２）に設置され、前記密封溝（４０）が、前記ハウジング（１０）に設置されていることを特徴とする請求項６に記載のハウジング装置。
【請求項８】
前記蓋（１０）が、少なくとも１つのピン状部材（４４）を有し、前記ハウジング（１０）が閉じた状態では、前記ピン状部材（４４）が、前記ハウジング（１０）に設けられた凹部（４６）と係合することを特徴とする請求項１乃至請求項７のいずれか１つに記載のハウジング装置。
【請求項９】
前記開口（２４）が一つ以上である場合、前記ハウジング（１０）の底部（１４）に対してこれらの開口（２４）が、互いに異なる高さに設置されていることを特徴とする請求項１乃至請求項８のいずれか１つに記載のハウジング装置。
【請求項１０】
前記ハウジング（１０）が、該ハウジング（１０）内に設置されているコネクタ（２２）用の交換可能なスペーサー（４８）を少なくとも２つ有していることを特徴とする請求項１乃至請求項９のいずれか１つに記載のハウジング装置。
【発明の詳細な説明】
【技術分野】
【０００１】
本発明は、電気アダプタに適用するハウジング装置に関する。
【背景技術】
【０００２】
前述したようなハウジング装置の一例として、特許文献１には、少なくとも２つの接続ボックスと、台座と、蓋とを具備しているものが開示されている。
接続ボックスは、それぞれ、正方形のハウジングを有している。
ハウジングの内部には、ターミナルストリップが設けられている。
ターミナルストリップは、少なくとも１つの接続端子を有し、電気ケーブルまたは導線と電気接続するためのものである。
また、ハウジングのそれぞれには、電気ケーブルまたは導線用の孔が少なくとも１つ設けられている。
各接続ボックスは、互いに対して０°、９０°、１８０°、２７０°となるように回転可能であり、重ねあって組み立てられている。
ターミナルストリップは、プラグとソケットとを有してなる挿しぬきコネクタであり、この挿しぬきコネクタを、互いに対して９０°回動させられた４つのポジションの１つにおいて接続ボックス内に固定することができる。
互いに重ねあって組み立てられた２つの接続ボックスにおける挿し抜きコネクタは、一方の差し込みコネクタのプラグが他方の差し込みコネクタのソケットに差し込まれるように、互いに接続されている。
【先行技術文献】
【特許文献】
【０００３】
【特許文献１】ＥＰ  １  ６４６  １１８  Ａ２
【発明の概要】
【発明が解決しようとする課題】
【０００４】
しかしながら、台座から接続ボックスの各側壁までの距離が同一であり、かつ、蓋は、ネジによって接続ボックスに固定されている。
そして、ハウジング装置を開ける際、ネジを取り外さないと蓋を開けることはできないので、ハウジング装置の使用上では、非常に繁雑である。
このため、使用者がハウジング装置の内部空間に触れることが困難であり、ハウジング装置の内部に設置されたコネクタの操作は、容易に行えない。
【０００５】
そこで、本発明は、従来のハウジング装置の利便性を向上したハウジング装置を提供することを目的とする。
【課題を解決するための手段】
【０００６】
本発明の目的は、請求項１に記載される技術的特徴によって実現することができる。
本発明の好ましい構造は、従属請求項によって提供される。
本発明のハウジング装置は、電気ケーブルと接続する少なくとも１つのコネクタを収容するためのハウジングを具備し、このハウジングは、底部、前壁、後壁及び２つの側壁を有するとともに、電気ケーブルのための開口を有している。
さらに、本発明のハウジング装置は、ハウジングを閉塞可能な蓋を有している。
この蓋は、回動可能にハウジングに取り付けられ、蓋の回動軸は、ハウジングの後壁に隣接するように２つの側壁に設置され、また、側壁の高さは、後壁から前壁に向かって漸次低くなっている。
【０００７】
使用者がハウジングの前壁からハウジング装置の操作を行うことが好ましい。
本発明のハウジング装置は、非常に高い利便性を有していることが特徴である。
ハウジング装置の開放操作は、蓋を回転させて上方に上げることによって実現することができる。
蓋の回動軸は、ハウジングの側壁における後壁に隣接する領域に設置されている。
ハウジング装置または蓋を開けるとき、蓋は、一定の角度で、例えば、２０°から５０°までの間の角度で、側壁上縁から上方へ回動する。
開放角度まで回動した場合、蓋は、ハウジングによって保持される。
開放角度まで回動した後、蓋を保持状態から離脱させ、ハウジングから取り外すことができる。
【０００８】
ハウジングは、このハウジングの後壁の高さがハウジングの前壁の高さより高い構成であることが好ましい。
前壁の高さが、後壁の高さから８０％低下していることが好ましい。
このことによって、使用者にとってハウジング内部が見易くなり、または、ハウジング内部に入り易くなるので、例えば、電気ケーブルの接続位置の変更のようなハウジング内部での操作が行い易くなる。
このことを実現するために、側壁の高さは、後壁から前壁に向かって漸次低くなっている。
それに応じて、蓋は、そのハウジングの前壁領域に当たる部位の高さ方向の長さが、ハウジングの後壁領域に当たる部位の高さ方向の長さより長くなるように構成されている。
蓋がハウジングを閉じた状態では、このハウジング装置は、例えば、略矩形のボックスとなることが好ましい。
【０００９】
本発明では、コネクタが、ハウジングの後壁に設置されている。
このことにより、ハウジングの前方領域に入り易くなり、使用者は、コネクタに対して操作を容易に行うことができる。
ハウジング装置が１つ以上のコネクタを有している場合、すべてのコネクタは、ハウジングの後壁に設けられている。
ハウジングの底部と０°以上の角度を成すようにコネクタが設置されていることが好ましい。
ここでは、このような一定角度を成す設置は、コネクタに設置された電気ケーブルまたは電気ケーブルの心線から判別することができる。
このように、コネクタは、ハウジングの底部に平行して設置されているのではなく、ハウジングの底部と０°以上の角度を成すように設置されている。
このため、ハウジングの後壁は、少なくともその一部がハウジングの底部に垂直にならないように設置されていることが好ましく、底部と９０°以下の角度を成すように設置されていることが好ましい。
これによって、後壁の少なくとも一部が底部へ向けて傾斜するため、コネクタの操作性は著しく向上される。
【００１０】
本発明では、電気ケーブルのための開口が、ハウジングの後壁に設置されている。
このことから、ハウジングの前方領域に自由に入ることができ、かつ、開口によりガイドされた導線に邪魔されることはない。
ハウジング装置が２つ以上の開口を有している場合では、全ての開口は、ハウジングの後壁に設置されていることが好ましい。
このように、コネクタ及び電気ケーブルのための開口は、ともにハウジングの後壁に設置されている。
【００１１】
ハウジングの輪郭をできるだけ使用者にとって使用し易いものにするため、側壁における蓋と隣接する上面（側壁上縁）には、少なくとも２つの下降角α、βが形成され、下降角α、βは、後壁から前壁に向かう方向に沿って順にそれらの角度が減少している。
下降角α、βとは、ハウジングの底面に平行する面と、側壁における蓋と隣接する側壁上縁（上面）に沿った面とが成す角度をいう。
このことから分かるように、後壁から延びる側壁は、先ず、比較的急な勾配で下降するように形成され、そして、前壁方向では、少し緩い勾配で下降するように形成されていることが好ましい。
このため、前壁の領域における側壁の高さは、非常に低い。
これによって、ハウジングの側壁からハウジングの内部に入り易いことと、側壁の構造による妨害を可能な範囲で減らすこととを実現することができる。
【００１２】
本発明では、２つの側壁は、それぞれ、ガイド部を有しており、蓋に形成されているガイド部材が、このガイド部に係合されている。
ガイド部は、蓋をハウジングによって保持させ、かつ、回動中に蓋を所望の軌道に沿ってガイドさせるためのものである。
ガイド部は、凹状に側部の外表面に形成されていることが好ましい。
この凹状の部分は、蓋の開閉時に、蓋を円形の軌道に沿って回転できるように形成されていることが好ましい。
ガイド部は、蓋が上方及び下方だけに回転するように構成されている。
蓋の横方向への移動は、ガイド部により防ぐ。
ガイド部は、蓋の回動軸の領域に形成されていることが好ましい。
ガイド部材は、わずかに曲がる鼻状の延伸ピン形状に形成されている。
【００１３】
本発明の好ましい構造形態では、蓋がハウジングに固定されるように、蓋は、ハウジングの後壁領域における凹部に係合される。
このため、蓋には、ガイド部材と隣接する係合部が設けられ、この係合部は、リブ状に形成されていることが好ましい。
蓋をハウジングに固定させる際には、まず、係合部は凹部に挿し込まれ、形状対応式の連接が形成されている。
ここでは、凹部およびガイド部は、次のように隣接してハウジングに設置されている。
即ち、蓋を凹部に固定するとき、蓋のガイド部材も、ハウジングのガイド部に係合される。
蓋が凹部及びガイド部に係合される際、蓋は、依然としてある程度で浮く位置にあり、この浮く位置は、蓋が凹部に係合されたときの位置である。
蓋に圧力がかかるときだけ、蓋は、下へ回転され、ハウジングを閉じる。
凹部は、凹入溝であることが好ましい。
【００１４】
また、本発明のもう１つの好ましい構造形態では、ハウジング装置を密封するための密封条が設けられ、この密封条は密封溝に係合される。
ここでは、密封条及び密封溝は、同一種類の金属で製作されているがことが好ましい。
密封条は、櫛状の突起部に形成されていることが好ましい。
この突起部は、蓋またはハウジング装置が閉じた状態では、密封溝の溝と係合されている。
蓋またはハウジング装置を閉じるときに、密封条を密封溝に係合させることによって、蓋またはハウジング装置を閉じるときに、強制ガイドが行われ、蓋が閉じた状態では、蓋をハウジングに密封的に設置することができる。
また、強制ガイドによって蓋の位置決め上の間違いを防止することができる。
密封条が、蓋に設けられ、密封溝が、ハウジングに設けられていることが好ましい。
このような設置により、開放状態では、ハウジング自体には密封条のような突起部が形成されていない。
ハウジングに突起部が形成されている場合、使用者がハウジングの内部空間に入ることは邪魔される。
【００１５】
また、本発明のさらなる１つの好ましい構造形態では、蓋は、少なくとも１つのピン状部材を有し、ハウジングが閉じた状態では、ピン状部材は、ハウジングに設置されている凹部に係合される。
ピン状部材は、ハウジングの前壁に設置されている凹部に係合されることが好ましい。
ピン状部材の設置により、蓋を閉じるとき、蓋の最終的な中心位置決めおよび精確な調整が実現される。
【００１６】
本発明の１つの好ましい構造形態では、ハウジングに電気ケーブルのための開口が２つ以上である場合、ハウジングの底部に対してこれらの開口が、互いに異なる高さに設置されている。
これによって、１つのハウジング壁の表面に複数の開口を設置するという、可能な限りの空間節約ができる。
【００１７】
また、本発明のもう１つの好ましい構造形態では、ハウジングは、交換可能なスペーサーを１つ以上有しており、このスペーサーは、このハウジング内に設置されているコネクタのために用いられるものである。
スペーサーは、コネクタとハウジングの壁部表面（前壁、後壁、側壁）との間に設置されていることが好ましい。
コネクタに設置される電気ケーブルには、そのハウジング内に位置する場所によって次のような反作用力が生じることがある。
即ち、ハウジングの壁に向かう比較的大きな反作用力が生じ、この反作用力は、コネクタに作用する。
スペーサーによってこの反作用力を受け止めることで、コネクタの位置決め上の間違いを防止することができる。
【発明の効果】
【００１８】
本発明のハウジング装置は、上記の構成を有しているため、利便性に優れており、使用者にとってハウジングの内部が見易く、かつ、ハウジングの内部に入り易いので、例えば、電気ケーブルの接続位置の変更のようなハウジングの内部での操作が行い易い。
また、ハウジングの前方領域に自由に入ることができ、かつ、開口によりガイドされた導線に邪魔されることはない。
さらに、密封条及び密封溝、またはピン状部材やスペーサーの設置によって、蓋やコネクタの位置決め上の間違いを防止することができる。
【図面の簡単な説明】
【００１９】
【図１】本発明に係るハウジング装置の斜視図である。
【図２】本発明に係るハウジング装置の側面図である。
【図３】本発明の図２の局部構造Ａの模式的な拡大図である。
【図４】本発明に係るハウジング装置の閉止状態の平面図である。
【図５】本発明に係るハウジング装置の開放状態の前方斜視図である。
【発明を実施するための形態】
【００２０】
図１は、本発明に係るハウジング装置の模式図であり、ハウジング装置は、ハウジング１０とこのハウジング１０を閉じる蓋１２を具備している。
ハウジング１０は、底部１４、前壁１６、後壁１８および２つの側壁２０を有している。
ハウジング１０の内部に２つのコネクタ２２が設置され、このコネクタ２２として、例えば、配線装置およびソケットが挙げられる。
ハウジング１０の後壁１８に３つの開口２４が設けられ、これらの開口２４の詳細は、図２と図３で示されている。
開口２４の中には、例えば、１つの電気ケーブル端子または１つの挿し抜き式コネクタ（２２）を設置することができる。
図２から分かるように、これらの開口２４は、ハウジング１０の底部１４に対して互いに異なる高さに設置することができる。
コネクタ２２および開口２４は、ハウジング１０の後壁１８に設置されているため、比較的広くて十分な空間を有するハウジング１０の内部に、可能な限り曲率半径の大きい電気ケーブル２６を設置することができる。
コネクタ２２は、ハウジング１０の底部１４と０°以上の角度を成すように設置されている。
ここでは、このような一定角度を成す設置は、コネクタ２２に設置された電気ケーブル２６または電気ケーブル２６の心線から判別することができる。
このように、コネクタ２２は、ハウジング１０の底部１４に平行して設置されているのではなく、ハウジング１０の底部１４と０°以上の角度を成すように設置されている。
このため、ハウジング１０の後壁１８は、少なくともその一部がハウジング１０の底部１４に垂直にならないように設置され、底部１４と９０°以下の角度を成すように設置されていることが好ましい。
これによって、後壁１８の少なくとも一部は、底部１４へ向けて傾斜する。
【００２１】
ハウジング１０は、後壁１８の高さがハウジング１０の前壁１６の高さより高く形成されている。
そして、側壁２０の高さは、後壁１８から前壁１６に向かって漸次低くなっている。
それに応じて、蓋１２は、そのハウジング１０の前壁１６領域に当たる部位の高さ方向の長さが、ハウジング１０の後壁１８領域に当たる部位の高さ方向の長さより長くなるように構成されている。
蓋１２がハウジング１０に閉じられた状態では、このハウジング装置は、例えば、略矩形のボックスとなることが好ましい。
ハウジング１０の輪郭をできるだけ使用し易いものにするため、ハウジング１０の側壁２０における蓋１２と隣接する側壁上縁２８には、少なくとも２つの下降角α、βが形成され、図に示すように、下降角α、βは、後壁１８から前壁１６に向かう方向に沿って順にその角度が減少している。
下降角α、βとは、ハウジング１０の底面１４に平行な面と、側壁２０における蓋１２と隣接する側壁上縁２８に沿った面とが成す角度をいう。
このことから分かるように、後壁１８から延びる側壁２０の側壁上縁２８は、先ず、比較的急な勾配で下降するように形成され、そして、前壁１６方向に向かって、少し緩い勾配で下降するように形成されている。
このため、前壁１６の領域における側壁２０の高さは、非常に低くくなっている。
【００２２】
蓋１２は、回動可能にハウジング１０に取り付けられ、蓋１２の回動軸３０（つまり、この軸を中心に、蓋１２は、回動可能に位置決めされる）は、ハウジング１０の後壁１８に隣接するように２つの側壁２０に設置されている。
蓋１２を、ハウジング１０により保持させ、かつ、保持された状態で所望の軌道に沿って回動させるために、図３のより詳しい模式図に示すように、２つの側壁２０は、それぞれ、ガイド部３２を有し、ガイド部３２は、凹状に形成されている。
その内、蓋１２に形成されているガイド部材３４がガイド部３２と係合する。
ガイド部３２は、蓋１２の開閉時に、蓋１２が円形の軌道に沿って回転できるように形成されている。
蓋１２の横方向への移動は、ガイド部３２により防止されている。
ガイド部３２は、蓋１２の回動軸３０の領域に形成されていることが好ましい。
ガイド部材３４は、わずかに曲がる鼻状に延伸したピンのように形成されている。
蓋１２の閉開時に、確実、かつ、可能な限り限定的な回転を実現するため、ガイド部材３４の輪郭は、ガイド部３２の輪郭と対応し、このことから、ハウジング装置または蓋１２が閉じられた状態では、ガイド部材３４は、精確にガイド部３２に嵌め込まれる。
【００２３】
蓋１２は、ハウジング１０に固定できるように、ハウジング１０の後壁１８領域における凹部３８に係合可能に構成されている。
このため、蓋１２には、ガイド部材３４と隣接する係合部３６が設けられ、係合部３６は、リブ状に形成されていることが好ましい。
蓋１２をハウジング１０に固定させる際には、まず、係合部３６は、凹部３８に挿し込まれ、形状対応式の連接が形成される。
ここでは、凹部３８およびガイド部３２は、次のように隣接してハウジング１０に設置されている。
蓋１２を凹部３８に固定するとき、蓋１２のガイド部材３４も、ハウジング１０のガイド部３２に係合される。
蓋１２が凹部３８及びガイド部３２に係合される際、蓋１２は、依然として、ある程度で浮く位置にあり、この浮く位置は、蓋１２が凹部３８に係合されたときの位置である。
蓋１２に圧力がかかるときだけ、蓋１２は、下へ回転され、ハウジング１０を閉じる。
凹部３８は、凹状の溝であることが好ましい。
【００２４】
ハウジング装置を密封するための密封条４２が設けられ、この密封条４２は、密封溝４０に係合され、ここでは、密封条４２及び密封溝４０は、同一種類の金属で製作されるがことが好ましい。
密封条４２は、櫛状の突起部のように形成され、蓋またはハウジング装置が閉じた状態では、密封溝４０の溝に係合される。
密封条４２が蓋１２に設けられ、密封溝４０がハウジング１０に設けられていることが好ましい。
【００２５】
また、蓋１２に２つのピン状部材４４が設けられ、ハウジング１０が閉じた状態では、この２つのピン状部材４４は、ハウジング１０の前壁１６に設置されている凹部４６に係合する。
ピン状部材４４の設置により、蓋１２を閉じるとき、蓋１２の最終的な中心位置決めおよび精確な調整が実現される。
【００２６】
図５に示されるように、ハウジング１０の内部には、交換可能なスペーサー４８が設けられており、このスペーサー４８は、このハウジング１０内に設置されたコネクタ２２のために用いられるものである。
スペーサー４８は、コネクタ２２とハウジング１０の前壁１６、後壁１８、側壁２０との間に設置されることが好ましい。
コネクタ２２に設置される電気ケーブル２６には、そのハウジング１０内に位置する場所によって、次のような反作用力が生じることがある。
即ち、ハウジング１０の壁に向かう比較的大きな反作用力が生じ、この反作用力は、コネクタ２２に作用する。
スペーサー４８によって、この反作用力を受け止めることで、コネクタ２２の位置決め上の間違いを防止することができる。
【００２７】
ハウジング装置を固定するために、ハウジング１０には、板状の固定部５０が設けられ、この固定部は、１つの基台に螺合することができる。
【符号の説明】
【００２８】
１０  ・・・  ハウジング
１２  ・・・  蓋
１４  ・・・  底部
１６  ・・・  前壁
１８  ・・・  後壁
２０  ・・・  側壁
２２  ・・・  コネクタ
２４  ・・・  開口
２６  ・・・  電気ケーブル
２８  ・・・  側壁上縁（上面）
３０  ・・・  回動軸
３２  ・・・  ガイド部
３４  ・・・  ガイド部材
３６  ・・・  係合部
３８  ・・・  凹部
４０  ・・・  密封溝
４２  ・・・  密封条
４４  ・・・  ピン状部材
４６  ・・・  凹部
４８  ・・・  スペーサー
５０  ・・・  固定部
【図１】
0005589057.tif 000002
【図２】
0005589057.tif 000003
【図３】
0005589057.tif 000004
【図４】
0005589057.tif 000005
【図５】
0005589057.tif 000006